(57)【要約】  紙幣収納カセット（３０）は、カセット筐体に設けられた紙幣投入口（３８ａ）と、少なくとも１つの第１の紙幣収納部は正券を収納するような１または複数の第１の紙幣収納部（３４、３６）と、偽券または真偽不確定券を収納するような第２の紙幣収納部（３２）と、を備えている。紙幣処理機（１０）は、本体部筐体（１１ａ、１１ｂ）と、紙幣投入部（１２）と、紙幣投入部（１２）に投入された紙幣を搬送する搬送部（２２）と、搬送部（２２）で搬送される紙幣の識別を行う識別部（１８）と、搬送部（２２）から紙幣が送られる上述の紙幣収納カセット（３０）と、を備え、紙幣収納カセット（３０）は本体部筐体（１１ｂ）に対して着脱自在となっており、識別部（１８）による識別結果に基づいて、紙幣収納カセット（３０）に送られた紙幣は第１の紙幣収納部（３４、３６）または第２の紙幣収納部（３２）に送られる。
2009122507.tif 000002
【特許請求の範囲】
【請求項１】
カセット筐体と、
前記カセット筐体に設けられた紙幣投入口と、
前記紙幣投入口に投入された紙幣が送られる１または複数の第１の紙幣収納部であって、少なくとも１つの第１の紙幣収納部は正券を収納するような第１の紙幣収納部と、
前記紙幣投入口に投入された紙幣が送られる第２の紙幣収納部であって、偽券または真偽不確定券を収納するような第２の紙幣収納部と、
を備えたことを特徴とする紙幣収納カセット。
【請求項２】
前記紙幣投入口に投入された紙幣の収納先を、一の前記第１の紙幣収納部または前記第２の紙幣収納部に切り換える切換部を更に備えたことを特徴とする請求項１記載の紙幣収納カセット。
【請求項３】
前記紙幣投入口から前記第２の紙幣収納部までの紙幣の搬送路は略直線状となっていることを特徴とする請求項１記載の紙幣収納カセット。
【請求項４】
前記紙幣投入口は前記カセット筐体の上面に設けられており、前記第２の紙幣収納部は前記紙幣投入口の下方に設けられていることを特徴とする請求項３記載の紙幣収納カセット。
【請求項５】
前記１または複数の第１の紙幣収納部および前記第２の紙幣収納部に収納された紙幣に係る情報を記憶する記憶部を更に備えたことを特徴とする請求項１記載の紙幣収納カセット。
【請求項６】
前記記憶部に記憶された情報を外部に送信するための送信部を更に備えたことを特徴とする請求項５記載の紙幣収納カセット。
【請求項７】
前記１または複数の第１の紙幣収納部は前記カセット筐体に対して着脱自在となっていることを特徴とする請求項１記載の紙幣収納カセット。
【請求項８】
前記第２の紙幣収納部は前記カセット筐体に対して着脱自在となっていることを特徴とする請求項１記載の紙幣収納カセット。
【請求項９】
本体部筐体と、
前記本体部筐体に設けられた紙幣投入部と、
前記本体部筐体の内部に設けられ、前記紙幣投入部に投入された紙幣を前記本体部筐体の内部で搬送する搬送部と、
前記搬送部に介設され、当該搬送部で搬送される紙幣の識別を行う識別部と、
前記搬送部に接続され、当該搬送部から紙幣が送られる請求項１記載の紙幣収納カセットと、
を備え、
前記紙幣収納カセットは前記本体部筐体に対して着脱自在となっており、
前記識別部による識別結果に基づいて、前記紙幣収納カセットに送られた紙幣は一の前記第１の紙幣収納部または前記第２の紙幣収納部に送られるようになっていることを特徴とする紙幣処理機。
【請求項１０】
前記本体部筐体には略水平方向に延びるスライドレールが設けられており、
前記紙幣収納カセットの前記カセット筐体の側面には、前記スライドレール上に載せられるガイド部材が取り付けられており、
前記紙幣収納カセットを略水平方向に移動させることによりこの紙幣収納カセットを前記スライドレールに沿って前記本体部筐体から引き出すことができるようになっていることを特徴とする請求項９記載の紙幣処理機。
【請求項１１】
前記スライドレールは前記本体部筐体に対して移動自在となっているとともに被係合部材が設けられており、
前記本体部筐体には、前記被係合部材に係合可能な係合部材が設けられており、
前記係合部材が前記被係合部材に係合したときに前記スライドレールは前記本体部筐体に固定され、前記被係合部材に対する前記係合部材の係合状態を解除したときに前記紙幣収納カセットとともに前記スライドレールを前記本体部筐体から引き出すことができるようになることを特徴とする請求項１０記載の紙幣処理機。
【請求項１２】
前記係合部材は前記本体部筐体に対して取付軸を中心として枢動するようになっており、取付軸を中心として前記係合部材を枢動させることによりこの係合部材を前記被係合部材に係合させたり係合状態を解除したりすることができるようになっていることを特徴とする請求項１１記載の紙幣処理機。
【請求項１３】
前記本体部筐体内に設けられ、紙幣を一時的に保留するための一時保留部を更に備え、
前記識別部により識別された紙幣は前記一時保留部により一時的に保留され、その後、この一時保留部に保留された紙幣は前記搬送部により前記紙幣収納カセットに送られるようになっていることを特徴とする請求項９記載の紙幣処理機。
【発明の詳細な説明】
【技術分野】
【０００１】
本発明は、紙幣収納カセットおよびこの紙幣収納カセットを備えた紙幣処理機に関し、とりわけ、紙幣処理機からの紙幣の回収作業を効率良く行うことができる紙幣収納カセットおよび紙幣処理機に関する。
【背景技術】
【０００２】
金融機関等で用いられる紙幣入金機として、従来より、例えば特開２００４−２１３５６０号公報等に開示されるものが知られている。このような従来の紙幣入金機においては、顧客により紙幣投入口に投入された紙幣は筐体の内部に取り込まれ、この取り込まれた紙幣は識別部により金種や真偽、正損等の識別が行われる。識別部により識別が行われた紙幣は一時保留部に一時的に保留される。ここで、紙幣の収納指令が紙幣入金機に対して与えられた場合には、一時保留部に一時的に保留された紙幣は収納部に搬送されるようになっている。【０００３】
収納部は、正券を例えば金種別に収納するための複数（例えば２つ）の正券用紙幣収納カセットと、偽券や真偽不確定券等を収納するための偽券等用紙幣収納カセットと、正券用紙幣収納カセットや偽券等用紙幣収納カセットが載せられた収納部基台とから構成されている。正券用紙幣収納カセットは収納部の前方および後方に２つ設けられており、偽券等用紙幣収納カセットは前方の正券用紙幣収納カセットと後方の正券用紙幣収納カセットとの間に設けられている。一時保留部から収納部に送られた紙幣は、識別部による紙幣の識別結果に基づいて、２つの正券用紙幣収納カセットのうちいずれかの正券用紙幣収納カセットまたは偽券等用紙幣収納カセットに分類される。また、収納部基台は紙幣入金機の筐体の内部に収容されており、この筐体内から外部に引き出すことができるようになっている。
【発明の開示】
【０００４】
特開２００４−２１３５６０号公報等に開示されるような従来の紙幣処理機においては、収納部における２つの正券用紙幣収納カセットは収納部基台に対して着脱可能となっており、一方、偽券等用紙幣収納カセットは収納部基台に固定されている。そして、紙幣処理機の収納部に収納された紙幣を回収する際には、紙幣入金機の筐体内から収納部基台を外部に引き出し、２つの正券用紙幣収納カセットを収納部基台からそれぞれ取り外し、取り外された各々の正券用紙幣収納カセットから紙幣を回収するとともに、収納部基台に取り付けられた偽券等用紙幣収納カセットから紙幣を回収するようになっていた。このように、従来の紙幣処理機から紙幣を回収する際には、回収作業が複数回にわたり、作業効率が悪いという問題があった。
【０００５】
本発明は、このような点を考慮してなされたものであり、正券を収納する紙幣収納部と偽券または真偽不確定券を収納する紙幣収納部とが１つの紙幣収納カセットにまとめられることにより紙幣処理機からの紙幣の回収作業を１回で行うことができ、紙幣処理機からの紙幣の回収作業を効率良く行うことができる紙幣収納カセットを提供することを目的とする。
【０００６】
また、本発明は、上述のような紙幣収納カセットを備え、この紙幣収納カセットが本体部筐体に対して着脱自在となっているので、紙幣処理機からの紙幣の回収作業を行うにあたり、紙幣収納カセットを紙幣処理機の本体部筐体から取り外し、この紙幣収納カセットを任意の場所に運んでこの場所で紙幣収納カセットから正券および偽券または真偽不確定券を回収することができるようになるので、紙幣処理機からの紙幣の回収作業を効率良く行うことができる紙幣処理機を提供することを目的とする。
【０００７】
本発明の紙幣収納カセットは、カセット筐体と、前記カセット筐体に設けられた紙幣投入口と、前記紙幣投入口に投入された紙幣が送られる１または複数の第１の紙幣収納部であって、少なくとも１つの第１の紙幣収納部は正券を収納するような第１の紙幣収納部と、前記紙幣投入口に投入された紙幣が送られる第２の紙幣収納部であって、偽券または真偽不確定券を収納するような第２の紙幣収納部と、を備えたことを特徴とする。
【０００８】
本発明の紙幣収納カセットにおいては、前記紙幣投入口に投入された紙幣の収納先を、一の前記第１の紙幣収納部または前記第２の紙幣収納部に切り換える切換部を更に備えたことが好ましい。
【０００９】
本発明の紙幣収納カセットにおいては、前記紙幣投入口から前記第２の紙幣収納部までの紙幣の搬送路は略直線状となっていることが好ましい。この場合、前記紙幣投入口は前記カセット筐体の上面に設けられており、前記第２の紙幣収納部は前記紙幣投入口の下方に設けられていることがより好ましい。
【００１０】
本発明の紙幣収納カセットにおいては、前記１または複数の第１の紙幣収納部および前記第２の紙幣収納部に収納された紙幣に係る情報を記憶する記憶部を更に備えたことが好ましい。この場合、前記記憶部に記憶された情報を外部に送信するための送信部を更に備えたことが更に好ましい。
【００１１】
本発明の紙幣収納カセットにおいては、前記１または複数の第１の紙幣収納部は前記カセット筐体に対して着脱自在となっていることが好ましい。また、前記第２の紙幣収納部は前記カセット筐体に対して着脱自在となっていることが好ましい。
【００１２】
本発明の紙幣処理機は、本体部筐体と、前記本体部筐体に設けられた紙幣投入部と、前記本体部筐体の内部に設けられ、前記紙幣投入部に投入された紙幣を前記本体部筐体の内部で搬送する搬送部と、前記搬送部に介設され、当該搬送部で搬送される紙幣の識別を行う識別部と、前記搬送部に接続され、当該搬送部から紙幣が送られる上述の紙幣収納カセットと、を備え、前記紙幣収納カセットは前記本体部筐体に対して着脱自在となっており、前記識別部による識別結果に基づいて、前記紙幣収納カセットに送られた紙幣は一の前記第１の紙幣収納部または前記第２の紙幣収納部に送られるようになっていることを特徴とする。
【００１３】
本発明の紙幣処理機においては、前記本体部筐体には略水平方向に延びるスライドレールが設けられており、前記紙幣収納カセットの前記カセット筐体の側面には、前記スライドレール上に載せられるガイド部材が取り付けられており、前記紙幣収納カセットを略水平方向に移動させることによりこの紙幣収納カセットを前記スライドレールに沿って前記本体部筐体から引き出すことができるようになっていることが好ましい。
【００１４】
この場合、前記スライドレールは前記本体部筐体に対して移動自在となっているとともに被係合部材が設けられており、前記本体部筐体には、前記被係合部材に係合可能な係合部材が設けられており、前記係合部材が前記被係合部材に係合したときに前記スライドレールは前記本体部筐体に固定され、前記被係合部材に対する前記係合部材の係合状態を解除したときに前記紙幣収納カセットとともに前記スライドレールを前記本体部筐体から引き出すことができるようになることがより好ましい。ここで、前記係合部材は前記本体部筐体に対して取付軸を中心として枢動するようになっており、取付軸を中心として前記係合部材を枢動させることによりこの係合部材を前記被係合部材に係合させたり係合状態を解除したりすることができるようになっていることがより好ましい。
【００１５】
本発明の紙幣処理機においては、前記本体部筐体内に設けられ、紙幣を一時的に保留するための一時保留部を更に備え、前記識別部により識別された紙幣は前記一時保留部により一時的に保留され、その後、この一時保留部に保留された紙幣は前記搬送部により前記紙幣収納カセットに送られるようになっていることが好ましい。
【図面の簡単な説明】
【００１６】
【図１】本発明の実施の形態による紙幣処理機の構成の概略を示す斜視図である。
【図２】図１に示す紙幣処理機の内部の構成を示す概略構成図である。
【図３】図１および図２に示す紙幣処理機の制御ブロック図である。
【図４】図１に示す紙幣処理機に着脱自在に設けられた紙幣収納カセットの構成を示す斜視図である。
【図５】図４に示す紙幣収納カセットの内部の構成を示す概略構成図である。
【図６】本発明による他の紙幣収納カセットの内部の構成を示す概略構成図である。
【図７】図１に示す紙幣処理機に収納された状態での図４に示す紙幣収納カセットを背面から見た背面図である。
【図８】紙幣処理機の本体部筐体に設けられた係合部材と、スライドレールに設けられた被係合部材との間の関係を示す説明図である。
【図９】紙幣処理機の本体部筐体に設けられた係合部材と、スライドレールに設けられた被係合部材との間の関係を示す説明図である。
【発明を実施するための最良の形態】
【００１７】
以下、図面を参照して本発明の一の実施の形態について説明する。図１乃至図９は、本実施の形態に係る紙幣処理機を示す図である。【００１８】
まず、図１乃至図３により、本実施の形態に係る紙幣処理機の全体構成について説明する。図１は、本実施の形態による紙幣処理機の構成の概略を示す斜視図であり、図２は、図１に示す紙幣処理機の内部の概略構成図である。また、図３は、図１および図２に示す紙幣処理機の制御ブロック図である。【００１９】
図１に示すように、紙幣処理機１０は、略直方体形状の上部筐体１１ａと、この上部筐体１１ａの下方に取り付けられた略直方体形状の下部筐体１１ｂとを備えている。これらの上部筐体１１ａと下部筐体１１ｂとにより、紙幣処理機１０の本体部筐体が構成されている。図１に示すように、紙幣処理機１０の上部筐体１１ａには、紙幣を紙幣処理機１０の内部に取り込むための紙幣投入部１２が取り付けられている。また、上部筐体１１ａの内部には、紙幣投入部１２に投入された紙幣が集積される紙幣集積部１４、紙幣集積部１４から紙幣を繰り出す紙幣繰出部１６、紙幣繰出部１６により繰り出された紙幣の搬送を行う搬送部２２、搬送部２２により搬送される紙幣の識別を行う識別部１８、および識別部１８により識別された紙幣を一時的に保留する一時保留部２０がそれぞれ設けられている。【００２０】
一方、紙幣処理機１０の下部筐体１１ｂの内部には、紙幣の収納を行う紙幣収納カセット３０が収容されており、一時保留部２０に一時的に保留された紙幣が搬送部２２によりこの紙幣収納カセット３０に送られるようになっている。この紙幣収納カセット３０は、紙幣処理機１０の下部筐体１１ｂに対して着脱自在となっており、図１に示す紙幣処理機１０の斜視図において、下部筐体１１ｂから紙幣収納カセット３０を後方に引き出すことができるようになっている。【００２１】
また、紙幣処理機１０の各構成要素は制御部１５により制御されるようになっている。【００２２】
以下、紙幣処理機１０の各構成要素について詳述する。【００２３】
紙幣投入部１２は、図１および図２に示すように、紙幣処理機１０の上部筐体１１ａの前面から前方に突出するよう設置されている。ここで、紙幣投入部１２の先端部には紙幣投入口１２ａが設けられており、顧客等により紙幣の束がこの紙幣投入口１２ａに投入されるようになっている。また、紙幣投入部１２には、上下一対の循環ベルト機構（図示せず）が設けられており、紙幣投入口１２ａから投入された紙幣の束はこの循環ベルト機構に挟持されて上部筐体１１ａの内部に取り込まれるようになっている。ここで、循環ベルト機構は、一対または３以上のローラおよび各ローラに張架された例えばゴムベルトから構成されている。図２に示すように、紙幣投入口１２ａに投入された紙幣の束は、後述する紙幣集積部１４に送られるようになっている。なお、この紙幣投入部１２は、外部から紙幣の束を紙幣処理機１０の上部筐体１１ａ内に取り込ませる機能に加えて、紙幣集積部１４に集積された紙幣の束を紙幣投入口１２ａに送り、この紙幣投入口１２ａから紙幣の束を外部に返却させる機能も有している。【００２４】
紙幣集積部１４は、紙幣処理機１０の上部筐体１１ａ内に設置されており、紙幣投入部１２に投入された紙幣がこの紙幣投入部１２から送られるようになっている。紙幣集積部１４は、紙幣の束を集積する紙幣集積機構１４ａを有している。紙幣投入部１２に投入された紙幣の束は、一旦紙幣集積機構１４ａに集積され、その後、この紙幣集積機構１４ａから紙幣の束が循環ベルト機構（図示せず）等により後述する紙幣繰出部１６に送られるようになっている。なお、この紙幣集積部１４には、一時保留部２０に一時的に保留された紙幣が搬送部２２により１枚ずつ送られるようになっており、一時保留部２０から送られた紙幣は紙幣集積機構１４ａで集積され、集積された紙幣の束はこの紙幣集積機構１４ａから紙幣投入部１２に送られるようになっている。前述のように、紙幣集積部１４から紙幣投入部１２に送られた紙幣の束は、紙幣投入口１２ａから外部に返却される。【００２５】
紙幣繰出部１６は、紙幣処理機１０の上部筐体１１ａ内に設置されており、紙幣集積部１４から送られた紙幣の束を１枚ずつ搬送部２２に繰り出すようになっている。具体的には、紙幣繰出部１６は、図２の矢印に示す方向に回転する逆転ローラ１６ａおよびこの逆転ローラ１６ａと僅かな間隔をおいて設置された循環ベルト機構（図示せず）とを有しており、紙幣集積部１４から紙幣繰出部１６に送られた紙幣の束は、逆転ローラ１６ａと循環ベルト機構との間の隙間から１枚ずつ搬送部２２に繰り出されるようになっている。また、紙幣繰出部１６は、紙幣集積部１４から当該紙幣繰出部１６に送られた紙幣の束をそのまま紙幣集積部１４に戻す機能も有している。【００２６】
搬送部２２は、紙幣処理機１０の上部筐体１１ａ内に設置されており、紙幣繰出部１６から繰り出された紙幣を１枚ずつ搬送路に沿って搬送し、後述する一時保留部２０や紙幣集積部１４に送るようになっている。また、搬送部２２は、一時保留部２０に一時的に保留された紙幣を、紙幣処理機１０の下部筐体１１ｂに収容された紙幣収納カセット３０や、紙幣集積部１４に送るようになっている。搬送部２２は、例えば循環ベルト機構が組み合わされたものからなる。【００２７】
図２に示すように、搬送部２２における搬送路の分岐箇所には分岐部材２４が設けられており、この分岐部材２４により紙幣の搬送経路が切り換えられるようになっている。この分岐部材２４による紙幣の搬送経路の切り換えは、後述する制御部１５により制御されるようになっている。【００２８】
また、図２に示すように、搬送部２２における搬送路には識別部１８が介設されている。この識別部１８は、紙幣繰出部１６から搬送部２２に１枚ずつ繰り出された紙幣の金種、真偽、正損等を１枚ずつ識別するようになっている。識別部１８による紙幣の識別結果は、後述する制御部１５に送られるようになっている。【００２９】
一時保留部２０は、紙幣処理機１０の上部筐体１１ａ内に設置されており、紙幣繰出部１６から１枚ずつ搬送部２２に繰り出され識別部１８により識別された紙幣が送られるようになっている。一時保留部２０は、識別部１８による紙幣の識別結果に拘わらず、紙幣繰出部１６から搬送部２２に繰り出された全ての紙幣を一時的に保留するようになっている。図２に示すように、一時保留部２０は、正逆両方向に回転可能なドラム２０ａを有しており、このドラム２０ａに一対のテープが巻き取られるようになっている。搬送部２２から一時保留部２０に送られた紙幣は、この一対のテープの間に挟まれた状態で１枚ずつ順次ドラム２０ａにより巻き取られるようになっている。【００３０】
更に詳しく説明すると、一時保留部２０のドラム２０ａは、図２の紙面に直交する軸を中心として図２の時計回りおよび反時計回りの両方向に回転するようになっている。このドラム２０ａの外周面には、一対のテープの各端部が各々同じ箇所で取り付けられており、ドラム２０ａが図２の反時計回りに回転することにより一対のテープがドラム２０ａに巻き取られるようになっている。このドラム２０ａの駆動は後述する制御部１５により制御されるようになっている。そして、搬送部２２から一時保留部２０に送られた紙幣は、一対のテープの間に挟持され、ドラム２０ａが図２の反時計回りに回転することによりこの紙幣は一対のテープごとドラム２０ａに１枚ずつ巻き取られるようになっている。この際に、複数の紙葉類は間隔をおいて１枚ずつドラム２０ａに巻き取られることとなる。一方、ドラム２０ａが図２の時計回りに回転することにより、このドラム２０ａに巻き取られた一対のテープが当該ドラム２０ａから解放され、一時保留部２０に一時的に保留された紙幣は搬送部２２に戻される。【００３１】
一対のテープに挟まれてドラム２０ａに巻かれる複数の紙幣は、各々が識別部１８により識別されたものであり、制御部１５には、ドラム２０ａに巻かれた紙幣の順番と、各々の紙幣に対応する識別部１８による識別結果とが記憶されている。ドラム２０ａに巻かれた紙幣を搬送部２２に戻すときには、制御部１５に記憶された、ドラム２０ａに巻かれた紙幣の順番とは逆の順番で紙幣が搬送部２２に戻される。すなわち、一番最初に一対のテープに挟まれてドラム２０ａに巻かれた紙幣は、一番最後に一時保留部２０から搬送部２２に戻される。【００３２】
なお、一時保留部２０は、上述のような、ドラムおよび一対のテープからなり紙幣が一対のテープの間に挟まれた状態でこの一対のテープごとドラムにより巻き取られるような構成に限定されることはなく、他の構成とすることもできる。例えば、一時保留部２０をスタッカ式のものとしてもよい。【００３３】
紙幣収納カセット３０は、紙幣処理機１０の下部筐体１１ｂ内に収容されており、一時保留部２０に一時的に保留された紙幣が搬送部２２によりこの紙幣収納カセット３０に送られるようになっている。前述のように、紙幣収納カセット３０は、紙幣処理機１０の下部筐体１１ｂに対して着脱自在となっており、図１に示す紙幣処理機１０の斜視図において、下部筐体１１ｂから紙幣収納カセット３０を例えば後方に引き出すことができるようになっている（すなわち、図２において、下部筐体１１ｂから紙幣収納カセット３０を右方向に引き出すことができるようになっている）。【００３４】
紙幣収納カセット３０の構成の詳細について、図４乃至図６を用いて説明する。ここで、図４は、紙幣収納カセット３０の構成を示す斜視図であり、図５は、図４に示す紙幣収納カセット３０の内部の構成を示す概略構成図である。また、図６は、本発明における他の紙幣収納カセット５０の内部の構成を示す概略構成図である。【００３５】
図４に示すように、紙幣収納カセット３０は、略直方体形状のカセット筐体を有しており、このカセット筐体の上面には、紙幣投入口３８ａが設けられている。また、紙幣収納カセット３０は、前方に設けられた前方紙幣収納部３４と、後方に設けられた後方紙幣収納部３６と、前方紙幣収納部３４と後方紙幣収納部３６との間に設けられた中央紙幣収納部３２とを備えている。各紙幣収納部３２、３４、３６には、搬送部２２から紙幣投入口３８ａに投入された紙幣が１枚ずつ送られるようになっている。【００３６】
前方紙幣収納部３４および後方紙幣収納部３６のうち少なくとも一方の（好ましくは両方の）紙幣収納部には、識別部１８により正券と識別された紙幣が収納されるようになっている。一方、中央紙幣収納部３２には、識別部１８により偽券とされた紙幣や、識別部１８により真偽不確定券と識別された紙幣が収納されるようになっている。【００３７】
このような紙幣収納カセット３０の内部の構成について図５を用いて説明する。図５に示すように、紙幣投入口３８ａに投入された紙幣は、分岐部材４０ａ、４０ｂにより３つの搬送路３８ｂ、３８ｃ、３８ｄのうちいずれか１つの搬送路に送られるようになっている。ここで、搬送路３８ｂは中央紙幣収納部３２に接続されており、搬送路３８ｃは前方紙幣収納部３４に接続されており、搬送路３８ｄは後方紙幣収納部３６に接続されている。【００３８】
そして、分岐部材４０ａ、４０ｂがそれぞれ図５の実線に示すような位置にあるときには、紙幣投入口３８ａに投入された紙幣は搬送路３８ｂに送られ、中央紙幣収納部３２に収納される。一方、分岐部材４０ａが図５の点線に示すような位置にあり、分岐部材４０ｂが図５の実線に示すような位置にあるときには、紙幣投入口３８ａに投入された紙幣は搬送路３８ｃに送られ、前方紙幣収納部３４に収納される。また、分岐部材４０ａが図５の実線に示すような位置にあり、分岐部材４０ｂが図５の点線に示すような位置にあるときには、紙幣投入口３８ａに投入された紙幣は搬送路３８ｄに送られ、後方紙幣収納部３６に収納される。【００３９】
このように、分岐部材４０ａ、４０ｂにより、紙幣投入口３８ａに投入された紙幣の収納先を、前方紙幣収納部３４、後方紙幣収納部３６または中央紙幣収納部３２に切り換える切換部が構成されることとなる。なお、分岐部材４０ａ、４０ｂは、後述する制御部１５により制御されるようになっており、識別部１８による紙幣の識別結果に基づいて、制御部１５が分岐部材４０ａ、４０ｂを制御し、紙幣投入口３８ａに投入された紙幣の搬送先を調整するようになっている。【００４０】
なお、図５に示すように、中央紙幣収納部３２は紙幣投入口３８ａの真下に設けられており、紙幣投入口３８ａから中央紙幣収納部３２までの紙幣の搬送路３８ｂは下方に延びる略直線状となっている。ここで、前述のように、中央紙幣収納部３２には、識別部１８により偽券と識別された紙幣や、識別部１８により真偽不確定券と識別された紙幣が収納されるようになっているが、折れ曲がった紙幣のような状態が悪い紙幣が紙幣投入口３８ａに投入された場合であっても、この紙幣を湾曲させることなく中央紙幣収納部３２に送ることができるので、紙幣収納カセット３０内でこのような折れ曲がった紙幣等のジャムが発生することはない。【００４１】
また、搬送路３８ｃと前方紙幣収納部３４の間の箇所や、搬送路３８ｄと後方紙幣収納部３６の間の箇所には、札叩き用羽根車３９が設置されている。このような札叩き用羽根車３９が、搬送路３８ｃから前方紙幣収納部３４に送られる紙幣や搬送路３８ｄから後方紙幣収納部３６に送られる紙幣を叩くことにより、前方紙幣収納部３４内や後方紙幣収納部３６内で紙幣が縦向きになることはなく横向きの積層状態に集積されることとなる。【００４２】
また、前方紙幣収納部３４や後方紙幣収納部３６は、紙幣収納カセット３０のカセット筐体に対して着脱自在となっている。このことにより、紙幣収納カセット３０を紙幣処理機１０の下部筐体１１ｂから引き出したあと、前方紙幣収納部３４や後方紙幣収納部３６をさらに紙幣収納カセット３０のカセット筐体から取り外し、この前方紙幣収納部３４や後方紙幣収納部３６内にある正券等の紙幣を回収することができるようになる。【００４３】
また、中央紙幣収納部３２も、前方紙幣収納部３４や後方紙幣収納部３６と同様に、紙幣収納カセット３０のカセット筐体に対して着脱自在となっていてもよい。中央紙幣収納部３２が紙幣収納カセット３０のカセット筐体に対して着脱自在となっている場合には、紙幣収納カセット３０を紙幣処理機１０の下部筐体１１ｂから引き出したあと、中央紙幣収納部３２をさらに紙幣収納カセット３０のカセット筐体から取り外し、この中央紙幣収納部３２内にある偽券や真偽不確定券等の紙幣を回収することができるようになる。【００４４】
また、紙幣収納カセット３０には、前方紙幣収納部３４、後方紙幣収納部３６および中央紙幣収納部３２に収納された紙幣に係る情報を記憶するメモリ３１ａが設けられている。具体的には、このメモリ３１ａには、制御部１５から、識別部１８による紙幣の識別結果が送られるようになっている。このようなメモリ３１ａが紙幣収納カセット３０に設けられていることにより、紙幣収納カセット３０を紙幣処理機１０の下部筐体１１ｂから引き出し、この紙幣収納カセット３０を紙幣処理機１０の設置箇所とは別の箇所に移動させた場合であっても、操作者はメモリ３１ａに記憶された情報を読み取ることにより、前方紙幣収納部３４、後方紙幣収納部３６および中央紙幣収納部３２に収納された紙幣に係る情報を知ることができるようになる。ここで、メモリ３１ａに記憶される、紙幣に係る情報としては、例えば紙幣の金種、収納枚数、各々の紙幣の記番号、あるいは正券や偽券等の真偽に関する情報等が挙げられる。【００４５】
また、このメモリ３１ａには、当該メモリ３１ａに記憶された情報を外部に送信するためのインターフェース３１ｂが設けられており、このインターフェース３１ｂにより外部装置に対して当該メモリ３１ａに記憶された情報が送信されるようになっている。このことにより、操作者は、紙幣処理機１０の設置箇所から離れた場所であっても、外部装置によって紙幣収納カセット３０に設けられたインターフェース３１ｂから有線または無線で送信された情報を読み取ることにより、メモリ３１ａに記憶された紙幣の情報を知ることができるようになる。なお、上述したメモリ３１ａやインターフェース３１ｂは、前方紙幣収納部３４、後方紙幣収納部３６、あるいは中央紙幣収納部３２に設けられていてもよい。【００４６】
なお、紙幣処理機１０の下部筐体１１ｂに収納される紙幣収納カセットとしては、図５に示すような、正券を収納する紙幣収納部として２つの紙幣収納部３４、３６が設けられたものに限定されることはない。例えば、図６に示すように、正券等を収納するための紙幣収納部５４、５５、５６、５７が前方および後方に上下２つずつ、合計４つ設けられ、偽券や真偽不確定券を収納するための紙幣収納部５２が紙幣収納部５５と紙幣収納部５７との間に設けられたような紙幣収納カセット５０を用いることもできる。【００４７】
このような紙幣収納カセット５０の内部の構成について図６を用いて説明する。図６に示すように、紙幣収納カセット５０のカセット筐体の上面には紙幣投入口５８ａが設けられており、紙幣投入口５８ａから投入された紙幣はまず第１の切換部により搬送路５８ｂ、５８ｄ、５８ｅのうちいずれかの搬送路に送られる。ここで、第１の切換部は２つの分岐部材６０ａ、６０ｂにより構成されている。また、搬送路５８ｄは紙幣収納部５４に接続されており、搬送路５８ｅは紙幣収納部５６に接続されており、第１の切換部により搬送路５８ｄ、５８ｅに送られた紙幣はそれぞれ紙幣収納部５４、５６に収納される。また、搬送路５８ｂには第２の切換部が接続されており、第１の切換部により搬送路５８ｂに送られた紙幣は第２の切換部に送られる。【００４８】
搬送路５８ｂから第２の切換部に送られた紙幣はこの第２の切換部により搬送路５８ｃ、５８ｆ、５８ｇのうちいずれかの搬送路に送られる。第２の切換部は２つの分岐部材６０ｃ、６０ｄにより構成されている。また、搬送路５８ｆは紙幣収納部５５に接続されており、搬送路５８ｇは紙幣収納部５７に接続されており、第２の切換部により搬送路５８ｆ、５８ｇに送られた紙幣はそれぞれ紙幣収納部５５、５７に収納される。また、搬送路５８ｃには紙幣収納部５２が接続されており、第２の切換部により搬送路５８ｃに送られた紙幣は紙幣収納部５２に送られる。【００４９】
分岐部材６０ａ〜６０ｄの構成および動作は、図５に示す分岐部材４０ａ、４０ｂの構成および動作と略同一となっている。これらの分岐部材６０ａ〜６０ｄは、後述する制御部１５により制御されるようになっており、識別部１８による紙幣の識別結果に基づいて、制御部１５が分岐部材６０ａ〜６０ｄを制御し、紙幣投入口５８ａに投入された紙幣の搬送先を調整するようになっている。【００５０】
なお、図６に示すように、紙幣収納部５２は紙幣投入口５８ａの真下に設けられており、紙幣投入口５８ａから中央紙幣収納部５２までの紙幣の搬送路５８ｂ、５８ｃは下方に延びる略直線状となっている。ここで、前述のように、紙幣収納部５２には、識別部１８により偽券とされた紙幣や、識別部１８により真偽不確定券と識別された紙幣が収納されるようになっているが、折れ曲がった紙幣のような状態が悪い紙幣が紙幣投入口５８ａに投入された場合であっても、この紙幣を湾曲させることなく紙幣収納部５２に送ることができるので、紙幣収納カセット５０内でこのような折れ曲がった紙幣等のジャムが発生することはない。【００５１】
また、図６に示すように、搬送路５８ｄと紙幣収納部５４の間の箇所、搬送路５８ｅと紙幣収納部５６の間の箇所、搬送路５８ｆと紙幣収納部５５の間の箇所、および搬送路５８ｇと紙幣収納部５７の間の箇所には、上述した札叩き用羽根車３９と同様の構成の札叩き用羽根車５９がそれぞれ設置されている。【００５２】
また、紙幣収納カセットにおいて、正券を収納するための紙幣収納部の数を、上述のような２つまたは４つとすることに限定されることはなく、１またはそれより大きな任意の数としてもよい。【００５３】
次に、図７乃至図９を用いて、紙幣収納カセット３０を紙幣処理機１０の下部筐体１１ｂから引き出す際に用いられる各構成要素について説明する。ここで、図７は、図１に示す紙幣処理機１０に収納された状態での図４に示す紙幣収納カセット３０を背面から見た背面図である。また、図８および図９は、それぞれ、紙幣処理機１０の下部筐体１１ｂに設けられた係合部材７６と、スライドレール７２に設けられた被係合部材７２ａとの間の関係を示す説明図である。【００５４】
図７に示すように、紙幣収納カセット３０のカセット筐体の背面側には、操作者がこの紙幣収納カセット３０を紙幣処理機１０の下部筐体１１ｂから引き出す際に用いられる例えば取っ手等の把持部３０ａが取り付けられている。また、紙幣処理機１０の下部筐体１１ｂの内部側面には左右一対のレール受け部７０が取り付けられており、左右一対のスライドレール７２が各レール受け部７０に受けられるようになっている。各スライドレール７２は図７の紙面に対して垂直な方向に（すなわち、略水平方向に）延びるようになっている。これらのスライドレール７２は、紙幣収納カセット３０のカセット筐体の両側面と、下部筐体１１ｂの内部側面に取り付けられた左右一対のレール受け部７０との間に位置するようになっている。各スライドレール７２は対応するレール受け部７０に対して図７の紙面に対して垂直な方向に移動可能となっている。【００５５】
紙幣収納カセット３０のカセット筐体の両側面には、左右一対のガイド部材７４がそれぞれ取り付けられており、各ガイド部材７４は対応するスライドレール７２上に載せられるようになっている。このことにより、操作者が把持部３０ａを握って紙幣収納カセット３０を手前側に移動させた場合には、この紙幣収納カセット３０は左右一対のスライドレール７２に沿って下部筐体１１ｂから引き出すことができるようになる。【００５６】
図７乃至図９に示すように、左右一対のスライドレール７２のうち少なくとも一方のスライドレール７２には被係合部材７２ａが設けられている。また、紙幣処理機１０の下部筐体１１ｂには、被係合部材７２ａに係合可能な係合部材７６が設けられている。図８に示すように、係合部材７６は、下部筐体１１ｂに取り付けられた取付軸７６ａと、後述するバネ７８が取り付けられるバネ取付部７６ｂとを有しており、係合部材７６は取付軸７６ａを中心として枢動するようになっている。また、係合部材７６には、操作者の指により操作される操作板７６ｃが設けられており、操作者がこの操作板７６ｃを押したり手前側に引いたりすることにより係合部材７６が取付軸７６ａを中心として枢動するようになる。ここで、係合部材７６が図８の実線に示すような係合位置にあるときには、この係合部材７６は被係合部材７２ａに係合し、スライドレール７２を下部筐体１１ｂから移動させることができないようになっている。このことにより、紙幣収納カセット３０のみを下部筐体１１ｂから引き出すことができるようになる。【００５７】
また、係合部材７６が図８の二点鎖線に示すような非係合位置にあるときには、この係合部材７６は被係合部材７２ａに係合せず、スライドレール７２を下部筐体１１ｂから移動させることができるようになっている。このことにより、紙幣収納カセット３０をスライドレール７２と一体的に下部筐体１１ｂから引き出すことができるようになる。このように、係合部材７６は下部筐体１１ｂに対して取付軸７６ａを中心として枢動するようになっており、この取付軸７６ａを中心として係合部材７６を枢動させることにより係合部材７６を被係合部材７２ａに係合させたり係合状態を解除したりすることができるようになっている。【００５８】
図８および図９に示すように、係合部材７６のバネ取付部７６ｂにはバネ７８の一端が取り付けられている。そして、紙幣処理機１０の下部筐体１１ｂには、バネ７８の他端を取り付けるための２つのバネ取付部８０ａ、８０ｂがそれぞれ設けられている。【００５９】
ここで、バネ７８の他端を第１のバネ取付部８０ａに取り付けた場合には、図８に示すように、操作者が係合部材７６の操作板７６ｃに何ら力を加えていないときに係合部材７６は図８の実線に示すような係合位置に位置する。また、操作者が係合部材７６の操作板７６ｃを図８の矢印方向に押したときに係合部材７６は図８の二点鎖線に示すような非係合位置に移動するようになる。【００６０】
一方、バネ７８の他端を第２のバネ取付部８０ｂに取り付けた場合には、図９に示すように、操作者が係合部材７６の操作板７６ｃに何ら力を加えていないときに係合部材７６は図９の実線に示すような非係合位置に位置する。また、操作者が係合部材７６の操作板７６ｃを図９の矢印方向に示すように手前側に引いたときには、係合部材７６は図９の二点鎖線に示すような係合位置に移動するようになる。【００６１】
ここで、バネ７８の他端の取り付けは、操作者により第１のバネ取付部８０ａまたは第２のバネ取付部８０ｂのいずれかに対して手動で容易に行うことができ、このバネの取り付け先の変更も操作者により手動で容易に行うことができる。このため、紙幣収納カセット３０を紙幣処理機１０の下部筐体１１ｂから引き出すにあたり、紙幣収納カセット３０をスライドレール７２と一体的に取り出す動作を頻繁に行うのか、あるいは紙幣収納カセット３０のみを下部筐体１１ｂから引き出してスライドレール７２を下部筐体１１ｂに残す動作を頻繁に行うのかに応じて、操作者はバネ７８の他端の取り付けを第１のバネ取付部８０ａまたは第２のバネ取付部８０ｂのいずれかに対して手動で容易に行うことができる。【００６２】
次に、紙幣処理機１０の各構成要素の制御を行う制御部１５について図３を用いて説明する。図３は、図１に示す紙幣処理機１０の制御ブロック図である。制御部１５は、紙幣処理機１０の上部筐体１１ａ内に設けられており、図３に示すように、制御部１５には、紙幣投入部１２、紙幣集積部１４、紙幣繰出部１６、識別部１８、一時保留部２０、搬送部２２、分岐部材２４、分岐部材４０ａ、４０ｂ、紙幣処理機１０の上位装置等の外部装置と通信を行うためのインターフェース１５ａ、紙幣収納カセット３０に設けられたメモリ３１ａ等がそれぞれ接続されている。前述のように、メモリ３１ａには、外部装置と通信を行うためのインターフェース３１ｂが接続されている。【００６３】
制御部１５には、識別部１８により識別された紙幣の識別結果が送られるようになっている。また、制御部１５は、紙幣投入部１２、紙幣集積部１４、紙幣繰出部１６、識別部１８、一時保留部２０、搬送部２２、分岐部材２４、分岐部材４０ａ、４０ｂ等を制御するようになっており、このような制御部１５による各構成部材の制御により、紙幣処理機１０における紙幣の流れを調整することができる。また、制御部１５に接続されたインターフェース１５ａにより、無線または有線による外部装置（例えば、ホストコンピュータ）との送受信を行うことができる。また、この制御部１５は、紙幣収納カセット３０のメモリ３１ａに対して識別部１８による紙幣の識別結果を送り、このメモリ３１ａに紙幣に係る情報を記憶させることもできる。【００６４】
次に、このような構成からなる紙幣処理機１０の動作について説明する。【００６５】
まず、紙幣処理機１０における紙幣の入金収納処理について説明する。最初に、顧客等は紙幣の束を紙幣投入部１２の紙幣投入口１２ａに投入する。紙幣投入部１２に投入された紙幣の束は紙幣集積部１４を通って紙幣繰出部１６に送られ、この紙幣繰出部１６から搬送部２２に紙幣が１枚ずつ繰り出される。搬送部２２は紙幣を１枚ずつ搬送し、識別部１８において紙幣の金種や真偽、正損等の識別が行われる。識別部１８による紙幣の識別結果は制御部１５に送られる。ここで、識別部１８により識別された紙幣は、正券、偽券、真偽不確定券、リジェクト券等に分類され、正券についてはその金種が識別される。【００６６】
識別部１８により識別された紙幣は搬送部２２により一時保留部２０に搬送され、この一時保留部２０で一時的に保留される。ここで、制御部１５に対して入金指令が与えられると、識別部１８による紙幣の識別結果に基づいて、リジェクト紙幣は搬送部２２により紙幣集積部１４に戻され、この紙幣集積部１４でリジェクト紙幣が集積される。そして、紙幣集積部１４からリジェクト紙幣の束が紙幣投入部１２に送られ、紙幣投入口１２ａからリジェクト紙幣の束が一括して返却される。また、一時保留部２０に一時的に保留された紙幣について、リジェクト紙幣以外の紙幣は搬送部２２により紙幣収納カセット３０に送られる。そして、識別部１８による紙幣の識別結果に基づいて制御部１５が分岐部材４０ａ、４０ｂを制御することにより、紙幣収納カセット３０に送られた紙幣のうち、正券は例えば金種毎に前方紙幣収納部３４または後方紙幣収納部３６に送られる。一方、紙幣収納カセット３０に送られた紙幣のうち、偽券または真偽不確定券は中央紙幣収納部３２に送られる。【００６７】
その後、操作者は紙幣収納カセット３０を紙幣処理機１０の下部筐体１１ｂから引き出す。この際に、下部筐体１１ｂに設けられた係合部材７６がスライドレール７２の被係合部材７２ａに係合しているときには、紙幣収納カセット３０を紙幣処理機１０の下部筐体１１ｂから引き出したときに、スライドレール７２は下部筐体１１ｂに固定されたままでありこの下部筐体１１ｂから引き出されることはない。すなわち、紙幣収納カセット３０のみが引き出されることとなる。一方、下部筐体１１ｂに設けられた係合部材７６がスライドレール７２の被係合部材７２ａに係合していないときには、紙幣収納カセット３０を紙幣処理機１０の下部筐体１１ｂから引き出したときに、スライドレール７２は紙幣収納カセット３０とともに下部筐体１１ｂから引き出される。【００６８】
紙幣収納カセット３０を紙幣処理機１０の下部筐体１１ｂから引き出した後、操作者はこの紙幣収納カセット３０の前方紙幣収納部３４や後方紙幣収納部３６から正券を回収したり、中央紙幣収納部３２から偽券や真偽不確定券を回収したりする。このような紙幣収納カセット３０からの紙幣の回収動作は、紙幣処理機１０の設置箇所のそばでも行うことができるし、紙幣処理機１０の設置箇所から離れた場所でも行うことができる。このようにして、紙幣の入金収納処理が終了する。【００６９】
次に、紙幣処理機１０における紙幣の入金返却処理について説明する。上述のような入金収納処理において、一時保留部２０に紙幣が一時的に保留された後、制御部１５に対して入金指令の代わりに返却指令が与えられると、一時保留部２０に一時的に保留された紙幣は全て搬送部２２により紙幣集積部１４に戻され、この紙幣集積部１４で紙幣が集積される。そして、紙幣集積部１４から紙幣の束が紙幣投入部１２に送られ、紙幣投入口１２ａから紙幣の束が一括して返却される。このようにして、紙幣の入金返却処理が終了する。【００７０】
次に、紙幣処理機１０における紙幣の入金計数処理について説明する。最初に、顧客等は紙幣の束を紙幣投入部１２の紙幣投入口１２ａに投入する。紙幣投入部１２に投入された紙幣の束は紙幣集積部１４を通って紙幣繰出部１６に送られ、この紙幣繰出部１６から搬送部２２に紙幣が１枚ずつ繰り出される。搬送部２２は紙幣を１枚ずつ搬送し、識別部１８において紙幣の金種や真偽、正損等の識別が行われる。また、識別部１８により紙幣の金種別の枚数の計数が行われる。識別部１８による紙幣の識別結果は制御部１５に送られる。【００７１】
識別部１８により識別された紙幣は搬送部２２により紙幣集積部１４に搬送され、この紙幣集積部１４で紙幣が集積される。そして、紙幣集積部１４から紙幣の束が紙幣投入部１２に送られ、紙幣投入口１２ａから紙幣の束が一括して返却される。このようにして、紙幣の入金計数処理が終了する。【００７２】
次に、紙幣処理機１０における取り忘れ紙幣収納処理について説明する。上述のような入金収納処理や入金返却処理、あるいは入金計数処理により、紙幣投入部１２の紙幣投入口１２ａに紙幣の束が返却された場合において、顧客等がこの紙幣の束を紙幣投入口１２ａから取り出すことなく一定期間が経過すると、紙幣投入部１２はこの紙幣の束を再び取り込んで紙幣集積部１４に送る。そして、紙幣集積部１４から紙幣の束が紙幣繰出部１６に送られ、この紙幣繰出部１６から搬送部２２に紙幣が１枚ずつ繰り出される。搬送部２２は紙幣を１枚ずつ一時保留部２０に搬送し、この一時保留部２０で紙幣は一時的に保留される。そして、一時保留部２０で一時的に保留された紙幣は全て紙幣収納カセット３０の中央紙幣収納部３２に送られる。なお、紙幣処理機１０における取り忘れ紙幣収納処理において、上述のような処理の代わりに、紙幣繰出部１６から搬送部２２に送られた紙幣を、識別部１８に送ることなく、そのまま紙幣収納カセット３０に送るようになっていてもよい。この場合、紙幣は一時保留部２０で一時的に保留されることはなく、このため一時保留部２０のドラム２０ａで湾曲させられることもない。また、この場合、紙幣繰出部１６から搬送部２２に繰り出された紙幣は、識別部１８を経て一時保留部２０に送られる場合とは別のルートの搬送路（図２において識別部１８が設けられた搬送路の下方にある他の搬送路）を通って紙幣収納カセット３０に送られることとなる。このようにして、中央紙幣収納部３２には、偽券や真偽不確定券の他に、紙幣投入部１２の紙幣投入口１２ａに返却されたが顧客等により取り忘れられた紙幣も収納されることとなる。このようにして、取り忘れ紙幣収納処理が終了する。【００７３】
以上のように本実施の形態の紙幣収納カセット３０によれば、前方紙幣収納部３４および後方紙幣収納部３６のうち少なくとも１つの紙幣収納部は正券を収納するようになっており、中央紙幣収納部３２が偽券または真偽不確定券を収納するようになっている。そして、カセット筐体に設けられた紙幣投入口３８ａに投入された紙幣が前方紙幣収納部３４、後方紙幣収納部３６または中央紙幣収納部３２に送られるようになっている。このように、正券を収納する前方紙幣収納部３４および後方紙幣収納部３６と偽券または真偽不確定券を収納する中央紙幣収納部３２とが１つの紙幣収納カセット３０にまとめられることにより、紙幣処理機１０からの紙幣の回収作業を１回で行うことができ、紙幣処理機１０からの紙幣の回収作業を効率良く行うことができる。【００７４】
また、上述のような紙幣収納カセット３０を備えた紙幣処理機１０によれば、紙幣収納カセット３０が紙幣処理機１０の下部筐体１１ｂに対して着脱自在となっているので、紙幣処理機１０からの紙幣の回収作業を行うにあたり、紙幣収納カセット３０を紙幣処理機１０の下部筐体１１ｂから取り外し、この紙幣収納カセット３０を任意の場所に運んでこの場所で紙幣収納カセット３０の各紙幣収納部３２、３４、３６からそれぞれ正券および偽券または真偽不確定券を回収することができるようになる。このため、紙幣処理機１０からの紙幣の回収作業を効率良く行うことができる。【００７５】
また、メモリ３１ａが紙幣収納カセット３０に設けられていることにより、紙幣収納カセット３０を紙幣処理機１０の下部筐体１１ｂから引き出し、この紙幣収納カセット３０を紙幣処理機１０の設置箇所とは別の箇所に移動させた場合であっても、操作者はメモリ３１ａに記憶された情報を読み取ることにより、前方紙幣収納部３４、後方紙幣収納部３６および中央紙幣収納部３２に収納された紙幣に係る情報を知ることができるようになる。具体的には、紙幣収納カセット３０には、メモリ３１ａに記憶された情報を外部に送信するためのインターフェース３１ｂが設けられており、このインターフェース３１ｂにより外部装置に対してメモリ３１ａに記憶された情報が送信されるようになっている。このことにより、操作者は、紙幣処理機１０の設置箇所から離れた場所であっても、外部装置によって紙幣収納カセット３０に設けられたインターフェース３１ｂから有線または無線で送信された情報を読み取ることにより、メモリ３１ａに記憶された紙幣の情報を知ることができるようになる。【００７６】
なお、本発明による紙幣処理機１０およびこの紙幣処理機１０に設けられた紙幣収納カセット３０は上述のような態様に限定されることはなく、様々な変更を行うことができる。【００７７】
例えば、紙幣収納カセット３０において、前方紙幣収納部３４および後方紙幣収納部３６のうちいずれか一方は正券を収納するが、もう片方の紙幣収納部は真偽不確定券または偽券を収納するようになっていてもよい。また、もう片方の紙幣収納部が、正券および真偽不確定券を混合して収納するようになっていてもよい。また、一方の紙幣収納部は特定の金種の紙幣を収納し、他方の紙幣収納部はそれ以外の金種の紙幣を混合して収納するようになっていてもよい。また、一方の紙幣収納部は特定の複数の種類の金種を混合して収納し、他方の紙幣収納部はそれ以外の金種の紙幣を混合して収納するようになっていてもよい。また、一方の紙幣収納部は正券を収納し、他方の紙幣収納部は損券を収納するようになっていてもよい。【００７８】
また、紙幣収納カセット３０の紙幣投入口３８ａに投入された紙幣のうち、正券について金種毎に前方紙幣収納部３４および後方紙幣収納部３６に分類して収納させる代わりに、一方の紙幣収納部（例えば前方紙幣収納部３４）に全ての金種の正券を優先的に収納させ、この一方の紙幣収納部が満杯になったときに他方の紙幣収納部に正券を収納させるようにしてもよい。
【図１】
2009122507.tif 000003
【図２】
2009122507.tif 000004
【図３】
2009122507.tif 000005
【図４】
2009122507.tif 000006
【図５】
2009122507.tif 000007
【図６】
2009122507.tif 000008
【図７】
2009122507.tif 000009
【図８】
2009122507.tif 000010
【図９】
2009122507.tif 000011
【国際調査報告】
2009122507.tif 000012
2009122507.tif 000013
2009122507.tif 000014
2009122507.tif 000015